(57)【要約】【課題】オーバーキャップがキャップにアンダーカット係合するときに生じる嵌合音の音質を高めたオーバーキャップ付き容器を提供する。【解決手段】口部１１を有する容器本体１０と、口部１１に装着されたキャップ２０と、キャップ２０の外側に着脱自在に装着されたオーバーキャップ３０と、を有するオーバーキャップ付き容器１であって、オーバーキャップ３０が、外周壁３１ａと頂壁３１ｂとを備え、キャップ２０を覆う有頂筒状のオーバーキャップ本体３１と、上端を頂壁３１ｂから離間させて外周壁３１ａの内側に装着され、キャップ２０の外周面にアンダーカット係合により着脱自在に係止される筒状の内側筒体３２と、を有し、外周壁３１ａの内周面と内側筒体３２の外周面との間に内側筒体３２の上端３２ｃに開放された反響空間４０が設けられていることを特徴とするオーバーキャップ付き容器１。【選択図】図１
2019206384.tif 000002
【特許請求の範囲】
【請求項１】
口部を有する容器本体と、前記口部に装着されたキャップと、前記キャップの外側に着脱自在に装着されたオーバーキャップと、を有するオーバーキャップ付き容器であって、
前記オーバーキャップが、
外周壁と頂壁とを備え、前記キャップを覆う有頂筒状のオーバーキャップ本体と、
上端を前記頂壁から離間させて前記外周壁の内側に装着され、前記キャップの外周面にアンダーカット係合により着脱自在に係止される筒状の内側筒体と、を有し、
前記外周壁の内周面と前記内側筒体の外周面との間に前記内側筒体の上端に開放された反響空間が設けられていることを特徴とするオーバーキャップ付き容器。
【請求項２】
前記内側筒体の外周面に、それぞれ径方向内側に凹むとともに前記内側筒体の上端に開口する複数の溝状部が周方向に間隔を空けて設けられ、
前記溝状部と前記外周壁とにより前記反響空間が区画形成されている、請求項１に記載のオーバーキャップ付き容器。
【請求項３】
前記内側筒体の内周面に、それぞれ径方向内側に向けて突出する複数のガイド突起が周方向に等間隔に設けられ、
複数の前記ガイド突起が前記キャップの外周面に接することで前記内側筒体が前記キャップと同軸状に保持される、請求項１または２に記載のオーバーキャップ付き容器。
【請求項４】
前記内側筒体が前記キャップにアンダーカット係合したときに、前記内側筒体の下端が前記容器本体の肩部に当接する、請求項１〜３の何れか１項に記載のオーバーキャップ付き容器。
【請求項５】
前記内側筒体の内周面に設けられた被係止突起が前記キャップの外周面に設けられた係止突起に下方側からアンダーカット係合する、請求項１〜４の何れか１項に記載のオーバーキャップ付き容器。
【発明の詳細な説明】
【技術分野】
【０００１】
本発明は、容器本体の口部に装着されたキャップの外側に当該キャップを覆うオーバーキャップが着脱自在に装着されたオーバーキャップ付き容器に関する。
【背景技術】
【０００２】
例えば化粧料等の内容物を収容する容器は、その容器本体の口部に、ノズルヘッドの押し下げによりポンプを作動させてノズルヘッドに設けられた噴出口から内容物を噴出させることができるポンプ付きキャップや、口部に装着された注出栓を開閉する開閉キャップ等のキャップが装着されて使用されるのが一般的である。
【０００３】
このような容器として、従来、持ち運びの際などにノズルヘッドが誤操作されるなどして内容物が漏出することを防止するために、キャップの外側に当該キャップを覆うオーバーキャップを着脱自在に装着したオーバーキャップ付き容器が知られている（例えば特許文献１参照）。
【０００４】
上記構成を有するオーバーキャップ付き容器では、オーバーキャップとして、キャップにアンダーカット係合により係止される構成のものが多く用いられている。この場合、オーバーキャップがキャップにアンダーカット係合するときに嵌合音を生じるので、当該嵌合音によってオーバーキャップがキャップに係止されたことを認識することができる。
【先行技術文献】
【特許文献】
【０００５】
【特許文献１】特開２０１７−１３２５４２号公報
【発明の概要】
【発明が解決しようとする課題】
【０００６】
しかし、従来のオーバーキャップ付き容器では、オーバーキャップがキャップにアンダーカット係合するときに生じる嵌合音の音質については十分な配慮がなされておらず、当該嵌合音をより良い音質のものとするという点で改良の余地があった。
【０００７】
本発明は、このような問題点を解決することを課題とするものであり、その目的は、オーバーキャップがキャップにアンダーカット係合するときに生じる嵌合音の音質を高めたオーバーキャップ付き容器を提供することにある。
【課題を解決するための手段】
【０００８】
本発明のオーバーキャップ付き容器は、口部を有する容器本体と、前記口部に装着されたキャップと、前記キャップの外側に着脱自在に装着されたオーバーキャップと、を有するオーバーキャップ付き容器であって、前記オーバーキャップが、外周壁と頂壁とを備え、前記キャップを覆う有頂筒状のオーバーキャップ本体と、上端を前記頂壁から離間させて前記外周壁の内側に装着され、前記キャップの外周面にアンダーカット係合により着脱自在に係止される筒状の内側筒体と、を有し、前記外周壁の内周面と前記内側筒体の外周面との間に前記内側筒体の上端に開放された反響空間が設けられていることを特徴とする。
【０００９】
本発明のオーバーキャップ付き容器は、上記構成において、前記内側筒体の外周面に、それぞれ径方向内側に凹むとともに前記内側筒体の上端に開口する複数の溝状部が周方向に間隔を空けて設けられ、前記溝状部と前記外周壁とにより前記反響空間が区画形成されているのが好ましい。
【００１０】
本発明のオーバーキャップ付き容器は、上記構成において、前記内側筒体の内周面に、それぞれ径方向内側に向けて突出する複数のガイド突起が周方向に等間隔に設けられ、複数の前記ガイド突起が前記キャップの外周面に接することで前記内側筒体が前記キャップと同軸状に保持されるのが好ましい。
【００１１】
本発明のオーバーキャップ付き容器は、上記構成において、前記内側筒体が前記キャップにアンダーカット係合したときに、前記内側筒体の下端が前記容器本体の肩部に当接するのが好ましい。
【００１２】
本発明のオーバーキャップ付き容器は、上記構成において、前記内側筒体の内周面に設けられた被係止突起が前記キャップの外周面に設けられた係止突起に下方側からアンダーカット係合するのが好ましい。
【発明の効果】
【００１３】
本発明によれば、オーバーキャップがキャップにアンダーカット係合するときに生じる嵌合音の音質を高めたオーバーキャップ付き容器を提供することができる。
【図面の簡単な説明】
【００１４】
【図１】本発明の一実施の形態に係るオーバーキャップ付き容器の半断面図である。
【図２】図１におけるＡ−Ａ線に沿う断面図である。
【図３】図１に示すオーバーキャップ付き容器の変形例を示す半断面図である。
【発明を実施するための形態】
【００１５】
以下、図面を参照しつつ本発明の一実施の形態に係るオーバーキャップ付き容器１の構成について詳細に例示説明する。
【００１６】
なお、本明細書及び特許請求の範囲においては、上下方向は、図１に示すようオーバーキャップ付き容器１を正立姿勢とした状態における上下方向を意味するものとし、径方向は、オーバーキャップ付き容器１の中心軸線Ｏに直交する方向を意味するものとする。
【００１７】
オーバーキャップ付き容器１は、例えば化粧料等の液体を内容物として収容する用途に用いることができるものであり、図１に示すように、容器本体１０、ポンプ付きのキャップ２０及びオーバーキャップ３０を有している。なお、図１においては、便宜上、オーバーキャップ３０の中心軸線Ｏよりも左側の半部を省略して示している。
【００１８】
容器本体１０は、円筒状の口部１１と、口部１１の下端から径方向外側に向けて延びる肩部１２と、肩部１２の外周端から下方に向けて延びる有底円筒状の胴部１３とを一体に備えたボトル形状となっており、その内部は内容物の収容空間Ｓとなっている。口部１１の外周面には、ポンプ付きのキャップ２０を装着するための雄ねじ１１ａが一体に設けられている。
【００１９】
容器本体１０としては、例えば合成樹脂製のブロー成形容器を用いることができるが、口部１１を有していれば、例えばガラス壜やチューブ容器等の他の形態の容器を用いることもできる。また、容器本体１０は、口部１１を有していれば、口部１１や胴部１３を円筒状ではなく角筒状ないし楕円筒状とするなど、その形状は種々変更可能である。
【００２０】
キャップ２０は、口部１１よりも大径の合成樹脂製の装着筒部２１を有している。装着筒部２１は円筒状となっており、その内周面には雌ねじ２１ａが設けられている。キャップ２０は、装着筒部２１が雌ねじ２１ａにおいて口部１１の雄ねじ１１ａにねじ結合することで口部１１に装着されている。このように、本実施の形態では、口部１１に装着されるキャップとしてポンプ付きのキャップ２０が用いられている。
【００２１】
キャップ２０はポンプ機構部２２を備えている。装着筒部２１の上方にはポンプ保持部２３が一体に設けられており、ポンプ機構部２２はポンプ保持部２３に保持されている。
【００２２】
ポンプ機構部２２は口部１１の内側に配置されるポンプ本体２２ａを備えており、ポンプ本体２２ａの上端からは上方に向けてステム２２ｂが突出し、ステム２２ｂの上端にはノズルヘッド２２ｃが取り付けられている。ノズルヘッド２２ｃは径方向外側に向けて突出する横向きのノズル２２ｄを備えており、ノズル２２ｄの先端にはノズルヘッド２２ｃの内部に設けられた流路（不図示）及びステム２２ｂを介してポンプ本体２２ａに連通する噴出口２２ｅが設けられている。
【００２３】
ノズルヘッド２２ｃはポンプ保持部２３よりも上方に突出しており、下方に向けて押下げ操作することができる。ノズルヘッド２２ｃが押下げ操作されると、ステム２２ｂがポンプ保持部２３の内部に侵入し、ポンプ本体２２ａが作動する。ポンプ本体２２ａが作動すると、ポンプ本体２２ａの内部に吸引されていた内容物がステム２２ｂを介してノズルヘッド２２ｃに圧送され、噴出口２２ｅから外部に噴出される。ノズルヘッド２２ｃの押下げ操作が解除されると、図示しないバネの付勢力によってノズルヘッド２２ｃが押し上げられて元の位置に復帰し、当該復帰動作により、収容空間Ｓに収容されている内容物がポンプ本体２２ａの内部に吸引される。したがって、ノズルヘッド２２ｃの押下げ操作と復帰動作を繰り返し行うことで、収容空間Ｓに収容されている内容液を所定量ずつ噴出口２２ｅから外部に噴出させることができる。
【００２４】
口部１１の上端とポンプ保持部２３との間には、口部１１からの内容物の漏れ出しを防止するための円環状のシール体２４が装着されている。また、詳細は図示しないが、ポンプ本体２２ａの下端には、収容空間Ｓの底部にまで延びる吸引チューブが装着され、ポンプ本体２２ａは当該吸引チューブを介して収容空間Ｓの底部から内容物を吸引する構成とされている。
【００２５】
装着筒部２１の外側にはカバー２５が装着され、装着筒部２１とポンプ保持部２３はカバー２５により覆われている。本実施の形態では、カバー２５は、例えば鋼材やアルミ合金等の金属で形成された金冠とも呼ばれるものとなっている。カバー２５は、中心軸線Ｏと同軸で外径が一定の円筒状の外周壁２５ａと、外周壁２５ａの上端から径方向内側に延びるフランジ部２５ｂとを有し、外周壁２５ａが装着筒部２１の外側に圧入されることで装着筒部２１に嵌合固定されている。カバー２５の外表面には光沢のあるメッキないし塗装が施されており、これによりオーバーキャップ付き容器１の美観が高められている。ノズルヘッド２２ｃはフランジ部２５ｂの内側に配置されており、カバー２５に干渉することなく上下方向に動作することができる。
【００２６】
カバー２５としては金属製のものに限らず、例えば合成樹脂製のものを採用することもできる。
【００２７】
カバー２５の外周壁２５ａには、それぞれ外周壁２５ａの外周面から径方向外側に向けて突出する複数の係止突起２５ｃが設けられている。それぞれの係止突起２５ｃは互いに同一形状であり、上下方向の位置を互いに一致させて周方向に等間隔に並べて設けられている。図示する場合では、複数の係止突起２５ｃは、それぞれプレス加工により外周壁２５ａの一部を径方向外側に向けて突出させた円形で球面状に湾曲する突起として構成されている。
【００２８】
オーバーキャップ３０は、キャップ２０の外側に着脱自在に装着されるものである。不使用時に、キャップ２０の外側にオーバーキャップ３０を装着することで、キャップ２０をオーバーキャップ３０により覆うことができる。これにより、オーバーキャップ付き容器１を持ち運ぶ際などに、ノズルヘッド２２ｃが誤って押下げ操作されて内容物が漏出することを防止することができる。一方、キャップ２０からオーバーキャップ３０を取り外すことで、キャップ２０を外部に露出させて内容物を噴出させることができる。
【００２９】
オーバーキャップ３０は、オーバーキャップ本体３１と内側筒体３２とを有し、オーバーキャップ本体３１の内側に内側筒体３２を組付けた２パーツ構成となっている。
【００３０】
オーバーキャップ本体３１はＡＢＳ樹脂製であり、円筒状の外周壁３１ａと外周壁３１ａの上端を閉塞する頂壁３１ｂとを一体に備えた有頂円筒状となっている。オーバーキャップ３０は、オーバーキャップ本体３１においてキャップ２０を覆うことができる。
【００３１】
外周壁３１ａの外径は容器本体１０の胴部１３の外径と略同一となっている。これにより、オーバーキャップ３０がキャップ２０の外側に装着されたときにおけるオーバーキャップ３０と容器本体１０との一体感を高めて、オーバーキャップ付き容器１の美観を高めることができる。
【００３２】
なお、オーバーキャップ本体３１はＡＢＳ樹脂製に限らず、他の合成樹脂製や金属製とするなど、その材質は種々変更可能である。
【００３３】
内側筒体３２はポリプロピレン（ＰＰ）製であり、オーバーキャップ本体３１の外周壁３１ａよりも小径で、且つ、カバー２５の外周壁２５ａよりも大径の円筒状となっている。内側筒体３２は、その下端側の外周面に一体に設けられた爪部３２ａが外周壁３１ａの下端側の内周面に設けられた凹部３１ｃに係合することで、オーバーキャップ本体３１の外周壁３１ａの内側に装着されている。また、内側筒体３２の下端には径方向外側に向けて延びるフランジ状部分３２ｂが一体に設けられており、このフランジ状部分３２ｂが外周壁３１ａの下端に設けられた段部３１ｄに係合することで、内側筒体３２は、その上端３２ｃがオーバーキャップ本体３１の頂壁３１ｂの下面（内面）から下方側に離間した状態となるように、オーバーキャップ本体３１に対する上下方向位置が規定されている。このように、内側筒体３２は、その上端３２ｃをオーバーキャップ本体３１の頂壁３１ｂから離間させてオーバーキャップ本体３１の外周壁３１ａの内側に装着されている。
【００３４】
内側筒体３２をポリプロピレン製としたことにより、内側筒体３２の下端側部分を径方向に容易に弾性変形させることができるので、オーバーキャップ本体３１が容易に変形することができない硬質のＡＢＳ樹脂製とされた場合であっても、オーバーキャップ本体３１の凹部３１ｃに爪部３２ａを容易に係合させることができる。
【００３５】
なお、内側筒体３２はポリプロピレン製に限らず、他の合成樹脂製や金属製とするなど、その材質は種々変更可能である。
【００３６】
内側筒体３２の内周面には被係止突起３２ｄが一体に設けられている。図示する場合では、被係止突起３２ｄは、内側筒体３２の内周面から径方向内側に向けて突出するとともに内側筒体３２の内周面の全周に亘って延びる環状リブに構成されている。
【００３７】
被係止突起３２ｄの最も径方向内側に向けて突出した部分における内径は、カバー２５に設けられた複数の係止突起２５ｃの最も径方向外側に向けて突出した部分を通る仮想円の直径よりも小さくなっている。したがって、オーバーキャップ３０をキャップ２０の外側に装着することにより、被係止突起３２ｄを係止突起２５ｃに下方側からアンダーカット係合させて、オーバーキャップ３０をキャップ２０に着脱自在に係止させることができる。
【００３８】
すなわち、オーバーキャップ３０をキャップ２０の外側に装着すると、内側筒体３２ないしカバー２５を互いに離反するように径方向に拡径ないし縮径するように弾性変形させつつ被係止突起３２ｄが係止突起２５ｃを乗り越えて係止突起２５ｃの下方側に移動し、係止突起２５ｃに下方側からアンダーカット係合する。このように、内側筒体３２に設けられた被係止突起３２ｄがカバー２５に設けられた係止突起２５ｃにアンダーカット係合することで、オーバーキャップ３０はキャップ２０に着脱自在に係止される。
【００３９】
本実施の形態では、被係止突起３２ｄが係止突起２５ｃにアンダーカット係合してオーバーキャップ３０がキャップ２０に着脱自在に係止された状態となると、内側筒体３２の下端部分すなわちフランジ状部分３２ｂが容器本体１０の肩部１２の上面に当接するようになっている。また、係止突起２５ｃにアンダーカット係合した状態の被係止突起３２ｄは、外周壁２５ａの係止突起２５ｃよりも下側の円筒状の外周面ではなく、係止突起２５ｃの径方向外側への突出量が最も大きくなる部分（図示する場合では上下方向の中央部分）よりも下方側の部分に当接する。これにより、オーバーキャップ３０は、内側筒体３２ないしカバー２５の弾性力により下方側に付勢された状態でキャップ２０に係止されるようになっている。したがって、オーバーキャップ３０をキャップ２０に装着し、被係止突起３２ｄを係止突起２５ｃにアンダーカット係合させたときに、オーバーキャップ３０が下方に付勢されながら移動してフランジ状部分３２ｂが容器本体１０の肩部１２に当たるようにして、所望の音量の嵌合音を生じさせることができる。
【００４０】
本実施の形態のオーバーキャップ付き容器１では、オーバーキャップ３０をキャップ２０に装着する際にアンダーカット係合によって生じる嵌合音の音質を高めるために、オーバーキャップ本体３１の外周壁３１ａの内周面と内側筒体３２の外周面との間に反響空間４０を設けるようにしている。このような構成により、オーバーキャップ３０がキャップ２０にアンダーカット係合することにより生じた嵌合音が、内側筒体３２の内側において上方に向けて伝搬し、内側筒体３２の上端３２ｃから上方に抜けてオーバーキャップ本体３１の頂壁３１ｂで反響（反射）し、さらに頂壁３１ｂで反射した嵌合音がオーバーキャップ本体３１の外周壁３１ａの内周面と内側筒体３２の外周面との間に設けられた反響空間４０に籠るようにして、当該嵌合音の音質を良好な音質に高めることができる。
【００４１】
図１、図２に示すように、本実施の形態では、内側筒体３２の外周面に、それぞれ径方向内側に向けて円弧状に凹むとともに内側筒体３２の上端３２ｃに開口する複数の溝状部３２ｅが周方向に等間隔に設けられ、これらの溝状部３２ｅとオーバーキャップ本体３１の外周壁３１ａとにより反響空間４０が区画形成されている。図１に示すように、それぞれの溝状部３２ｅの下端位置は、被係止突起３２ｄよりも上方側である。それぞれの反響空間４０は内側筒体３２の上端３２ｃに開放されており、頂壁３１ｂで反射した嵌合音は内側筒体３２の上端３２ｃを介してそれぞれの反響空間４０に入り込むことができる。
【００４２】
このように、オーバーキャップ本体３１の外周壁３１ａの内周面と内側筒体３２の外周面との間に、それぞれ上下方向に延びるとともに内側筒体３２の上端３２ｃに開放する複数本の縦長の反響空間４０を周方向に間隔を空けて設けた構成とすることにより、反響空間４０に籠る嵌合音の程度を適切なものに調整して、当該嵌合音の音質をより高めることができる。
【００４３】
また、それぞれの溝状部３２ｅの下端位置を被係止突起３２ｄよりも上方側としたので、被係止突起３２ｄが設けられた部分における内側筒体３２の厚みを十分に確保することができる。これにより、オーバーキャップ本体３１の外周壁３１ａの内周面と内側筒体３２の外周面との間に反響空間４０を設けて嵌合音の音質をより高めつつ、オーバーキャップ３０がキャップ２０にアンダーカット係合するときに内側筒体３２に十分な弾性力が生じるようにして、嵌合音の音量を十分に確保することができる。
【００４４】
図示するように、内側筒体３２の溝状部３２ｅが設けられていない部分における外周面とオーバーキャップ本体３１の外周壁３１ａの内周面との間に隙間４１を設けるようにしてもよい。この場合、これらの隙間４１は反響空間４０に連通し、反響空間４０の一部を構成するので、当該隙間４１を考慮して、溝状部３２ｅの溝幅ないし本数等を調整するのが好ましい。当該調整により、反響空間４０に籠る嵌合音の程度をより適切なものとして、当該嵌合音の音質をより高めることができる。
【００４５】
なお、隙間４１は設けられなくてもよい。
【００４６】
上記の通り、本実施の形態においては、オーバーキャップ本体３１を合成樹脂の中でも硬質のＡＢＳ樹脂製としている。これにより、オーバーキャップ３０がキャップ２０にアンダーカット係合することにより生じ、内側筒体３２の上端３２ｃから上方に抜ける嵌合音を、頂壁３１ｂによって効果的に反響（反射）させて、嵌合音の音質をより高めることができる。
【００４７】
図１に示すように、本実施の形態では、内側筒体３２の内周面に、それぞれ径方向内側に向けて突出する複数のガイド突起３２ｆが周方向に等間隔に設けられている。より具体的には、内側筒体３２は、溝状部３２ｅが設けられた部分において溝状部３２ｅの形状に沿って径方向内側に向けて湾曲することで、その内周面には溝状部３２ｅの形状に沿って径方向内側に向けて突出する縦リブ状部３２ｇが一体に設けられている。そして、縦リブ状部３２ｇの下端側に縦リブ状部３２ｇよりもさらに径方向内側に突出するようにガイド突起３２ｆが設けられている。
【００４８】
オーバーキャップ３０がキャップ２０に装着される際、複数のガイド突起３２ｆは、外周壁２５ａの外周面に接して外周壁２５ａの外周面に沿って移動する。これにより、内側筒体３２は、外周壁２５ａ（すなわち、キャップ２０）と同軸状に保持されつつオーバーキャップ３０をキャップ２０に装着される。したがって、オーバーキャップ３０がキャップ２０にアンダーカット係合するときに、内側筒体３２のフランジ状部分３２ｂが全周に亘って均一に容器本体１０の肩部１２に当たるようにして、嵌合音を発し易くすることができるとともに操作者が嵌合時に感じる感触を良好なものとすることができる。
【００４９】
図３は、図１に示すオーバーキャップ付き容器の変形例を示す半断面図である。なお、図３においては、前述した部材に対応する部材には同一の符号を付してある。
【００５０】
図１に示す場合では、口部１１に装着されるキャップとしてポンプ付きのキャップ２０を用いるようにしているが、口部１１に装着されるキャップ２０としては種々の構成のものを用いることができる。図３には、口部１１に装着されるキャップ２０を、口部１１に装着された注出栓５０を開閉する開閉キャップとした構成した変形例を示す。
【００５１】
注出栓５０は、円筒状のシール筒５１を口部１１の内周面に嵌合させて口部１１に液密に装着されており、容器本体１０の胴部１３をスクイズ（押圧）し、あるいは容器本体１０を倒立姿勢とすることで、収容空間Ｓに収容されている内容物を注出筒５２を通して外部に注出することができる。注出筒５２の下端には収容空間Ｓに向けて徐々に縮径する縮径筒部５３が一体に設けられており、注出筒５２から外部に向けて少量ずつ内容物が注出されるようになっている。
【００５２】
キャップ２０は、装着筒部２１の上端にポンプ保持部２３に替えて閉塞部２６を一体に備えた構成とされている。閉塞部２６は注出栓５０の上方を覆っており、その下面には注出筒５２に嵌合して当該注出筒５２を閉塞する栓体２６ａが一体に設けられている。なお、符号２６ｂは、キャップ２０が口部１１に装着されたときに注出栓５０の上面に当接するストッパ筒である。
【００５３】
カバー２５は、外周壁２５ａの上端にフランジ部２５ｂに替えて天壁部２５ｄが設けられた構成となっており注出栓５０の全体を覆っている。
【００５４】
このような変形例においては、内側筒体３２のカバー２５とのアンダーカット係合を解除させてオーバーキャップ３０をキャップ２０から取り外し、さらにカバー２５とともに装着筒部２１を回転させてキャップ２０を容器本体１０の口部１１から取り外すことで、注出栓５０を外部に露出させて内容物を注出させることができる。一方、不使用時に、カバー２５とともに装着筒部２１を回転させてキャップ２０を口部１１に装着することで注出栓５０の注出筒５２を閉塞するとともに、キャップ２０の外側にオーバーキャップ３０を装着して内側筒体３２をカバー２５にアンダーカット係合により係止させることで、キャップ２０が不意に開閉されることを防止して、持ち運びの際などに内容物が漏出することを確実に防止することができる。
【００５５】
本発明は上記の実施形態に限定されるものではなく、その要旨を逸脱しない範囲で種々変更可能であることはいうまでもない。
【００５６】
例えば、前記実施の形態においては、オーバーキャップ付き容器１を、化粧料を収容する用途に用いられるものとしたが、これに限らず、種々の内容物を収容する容器に本発明を適用することができる。
【００５７】
また、前記実施の形態においては、アンダーカット係合の構成として、内側筒体３２の内周面に全周に亘って延びる環状の被係止突起３２ｄを設け、外周壁２５ａの外周面にそれぞれ円形の突起状の複数の係止突起２５ｃを設けるようにしているが、内側筒体３２の内周面にそれぞれ円形の突起状の複数の被係止突起３２ｄを設け、外周壁２５ａの外周面に全周に亘って延びる環状の係止突起２５ｃを設けるようにしてもよい。
【００５８】
さらに、前記実施の形態においては、アンダーカット係合の構成として、係止突起２５ｃと被係止突起３２ｄとを備えた構成を採用しているが、これに限らず、例えば溝と突起をアンダーカット係合させる構成等を採用することもできる。
【００５９】
さらに、キャップ２０はカバー２５を備えない構成とすることもできる。この場合、装着筒部２１の外周面に係止突起を設けることができる。
【００６０】
さらに、オーバーキャップ３０がキャップ２０に装着されたときに内側筒体３２の下端（フランジ状部分３２ｂ）が肩部１２に当接しない構成とすることもできる。この場合、被係止突起３２ｄが係止突起２５ｃを乗り越えたときに、係止突起２５ｃが内側筒体３２の内周面に当たり、あるいは被係止突起３２ｄが外周壁２５ａの外周面に当たることで嵌合音が発生する構成とすることができる。
【符号の説明】
【００６１】
１    オーバーキャップ付き容器
１０    容器本体
１１    口部
１１ａ  雄ねじ
１２    肩部
１３    胴部
２０    キャップ
２１    装着筒部
２１ａ  雌ねじ
２２    ポンプ機構部
２２ａ  ポンプ本体
２２ｂ  ステム
２２ｃ  ノズルヘッド
２２ｄ  ノズル
２２ｅ  噴出口
２３    ポンプ保持部
２４    シール体
２５    カバー
２５ａ  外周壁
２５ｂ  フランジ部
２５ｃ  係止突起
２５ｄ  天壁部
２６    閉塞部
２６ａ  栓体
２６ｂ  ストッパ筒
３０    オーバーキャップ
３１    オーバーキャップ本体
３１ａ  外周壁
３１ｂ  頂壁
３１ｃ  凹部
３１ｄ  段部
３２    内側筒体
３２ａ  爪部
３２ｂ  フランジ状部分
３２ｃ  上端
３２ｄ  被係止突起
３２ｅ  溝状部
３２ｆ  ガイド突起
３２ｇ  縦リブ状部
４０    反響空間
４１    隙間
５０    注出栓
５１    シール筒
５２    注出筒
５３    縮径筒部
Ｏ    中心軸線
Ｓ    収容空間
【図１】
2019206384.tif 000003
【図２】
2019206384.tif 000004
【図３】
2019206384.tif 000005